(57)【要約】【課題】小型化を図るとともに、各行の表示状態を均等化することにより、表示品位の劣化を抑える。【解決手段】液晶表示装置１は、走査信号線Ｇ１，Ｇ２，…，Ｇｎと、走査信号線Ｇ１，Ｇ２，…，Ｇｎによってオン／オフされるＴＦＴ１１と、ＴＦＴ１１の一端に接続された画素電極とを含んで構成される行を複数備えるとともに、前記各行のＴＦＴ１１の他端に接続されたデータ信号線Ｓ１，Ｓ２，…，Ｓｎを含む液晶表示パネル１０を備える。ゲート信号の走査開始側または走査終了側に位置する最端部の行には、ダミー走査信号線Ｇ０が設けられている。ダミー走査信号線Ｇ０は、該ダミー走査信号線Ｇ０と走査信号線Ｇ１，Ｇ２，…，Ｇｎとの間で容量Ｃｇｏ−ｇ１，Ｃｇｏ−ｇ２，…，Ｃｇｏ−ｇｎが形成されるように、該走査信号線の少なくとも一部に重畳して設けられている。【選択図】図１
2009237282.tif 000002
【特許請求の範囲】
【請求項１】
走査信号線と、この走査信号線によってオン／オフされるスイッチング素子と、このスイッチング素子の一端に接続された画素電極とを含んで構成される行を複数備えるとともに、前記各行のスイッチング素子の他端に接続されたデータ信号線を含む表示パネルを備えた表示装置において、
走査信号の走査開始側または走査終了側に位置する最端部の行には、ダミー走査信号線が設けられ、
前記ダミー走査信号線は、前記走査信号線に入力される前記スイッチング素子のオフ電位信号の電位変動と同じ周期で電位変動する信号が入力される信号線の少なくとも一部に絶縁膜を介して重畳して設けられていることを特徴とする表示装置。
【請求項２】
前記信号線に入力される信号電位の振幅と、前記スイッチング素子のオフ電位の振幅とが同じであることを特徴とする請求項１に記載の表示装置。
【請求項３】
前記信号線に入力される信号電位と、前記スイッチング素子のオフ電位とは、ともに一定であることを特徴とする請求項１に記載の表示装置。
【請求項４】
表示領域外において、前記走査信号線および前記データ信号線の少なくとも何れか一方に接続されたスイッチング素子と、該スイッチング素子に直接、もしくは他のスイッチング素子を介して電気的に接続された第１の信号供給配線とをさらに備え、
前記信号線は、前記第１の信号供給配線であることを特徴とする請求項１から３の何れか１項に記載の表示装置。
【請求項５】
前記第１の信号供給配線は、前記表示パネルの表示状態を、前記走査信号線およびデータ信号線の少なくとも何れか一方ごとに検査するための、検査用の信号を供給するための配線であることを特徴とする請求項４に記載の表示装置。
【請求項６】
前記第１の信号供給配線は、前記表示パネルにおける前記走査信号線およびデータ信号線の少なくとも何れか一方に入力する信号を生成するための信号を供給する配線である請求項４に記載の表示装置。
【請求項７】
前記表示パネルには液晶材料が封入されており、液晶材料が封入された領域であって、かつ表示領域外において、画素電極と同じ材料で形成された導電片と、該導電片に接続された第２の信号供給配線とを備え、
前記信号線は、前記導電片または前記第２の信号供給配線であることを特徴とする請求項１から３の何れか１項に記載の表示装置。
【請求項８】
走査信号線と、この走査信号線によってオン／オフされるスイッチング素子と、このスイッチング素子の一端に接続された画素電極とを含んで構成される行を複数備えるとともに、前記各行のスイッチング素子の他端に接続されたデータ信号線を含む表示パネルを備えた表示装置において、
走査信号の走査開始側または走査終了側に位置する最端部の行には、ダミー走査信号線が設けられ、
前記ダミー走査信号線は、少なくとも１つの走査信号線の少なくとも一部に重畳して設けられていることを特徴とする表示装置。
【請求項９】
前記ダミー走査信号線は、各行に備えられた全ての前記走査信号線と交差するように設けられていることを特徴とする請求項８に記載の表示装置。
【請求項１０】
前記ダミー走査信号線は、さらに、該ダミー走査信号線と前記走査信号線とが交差する領域の面積が、各行で同一となるように設けられていることを特徴とする請求項９に記載の表示装置。
【請求項１１】
前記画素電極に液晶を介して対向配置される共通電極に入力される信号は、水平走査期間に同期した交流波形の信号であることを特徴とする請求項１から１０の何れか１項に記載の表示装置。
【発明の詳細な説明】
【技術分野】
【０００１】
本発明は、マトリクス型の表示装置に関するものである。
【背景技術】
【０００２】
マトリクス型の表示装置として、ＴＦＴ（薄膜トランジスタ：Thin Film Transistor）が形成されたアクティブマトリクス基板および上記ＴＦＴを駆動するためのドライバＩＣ（Integrated Circuit）を備えた液晶表示装置が広く知られている。
【０００３】
図２３に、ＴＦＴアクティブマトリクス方式の液晶表示装置１０１の構成を示す。液晶表示装置１０１には、マトリクスの行駆動回路としてゲートドライバ１０２、列駆動回路としてデータドライバ１０３が設けられている。
【０００４】
透明な基板上には、それぞれ複数本の、ゲートドライバ１０２によって駆動される走査信号線Ｇｎ・Ｇｎ＋１・…（総称するときは、以下参照符Ｇで示す）と、データドライバ１０３によって駆動されるデータ信号線Ｓｎ・Ｓｎ＋１・…（総称するときは、以下参照符Ｓで示す）とが相互に交差するように形成されている。そして、これらの各走査信号線Ｇと各データ信号線Ｓとが交差するそれぞれの箇所に画素ＰＩＸが形成されている。画素ＰＩＸは、ＴＦＴ１０４、液晶１０５、補助容量１０６を備えている。また、走査信号線Ｇとデータ信号線Ｓとによって区分された領域には、液晶１０５および補助容量１０６の一方の電極となる画素電極１０７（図２４参照）が形成されており、この画素電極１０７はＴＦＴ１０４のドレイン電極に接続されている。第ｎ行、第ｎ列目の画素ＰＩＸでは、前記ＴＦＴ１０４のソース電極は第ｎ列目のデータ信号線Ｓｎに接続され、ゲート電極は第ｎ行目の走査信号線Ｇｎに接続される。
【０００５】
このように各画素ＰＩＸが形成される液晶表示装置１０１において、走査信号線Ｇと画素電極１０７との関係に着目すると、図２３の液晶表示装置１０１は、第ｎ行目の走査信号線Ｇｎが第ｎ行目の画素電極１０７の下側に配置される、いわゆる下ゲート構造の液晶表示装置である。そして、前記画素電極１０７と走査信号線Ｇｎ，Ｇｎ−１との間には、図２４に示すように、それぞれ寄生容量Ｃｇｄ１・Ｃｇｄ２が形成されることになる。ここで、第１行目の画素ＰＩＸについて考えると、前記第ｎ行目の画素ＰＩＸにおける走査信号線Ｇｎ−１に対応する走査信号線Ｇ０は形成されておらず、前記寄生容量Ｃｇｄ２が形成されないことになる。図２３に、第１行目（Ｇ１ライン）の画素と第２行目以降（Ｇｎ（ｎ≠１）の画素とにおいて、これらの寄生容量Ｃｇｄ１，Ｃｇｄ２が形成されている場合の等価回路の相違を示す。
【０００６】
一方、図２５に示すように、各走査信号線Ｇには振幅がＶｇｐｐのゲート信号が順次印加されるが、このゲート信号によってＴＦＴ１０４のドレインレベルが変動する。すなわち、第ｎ行目の画素ＰＩＸにおいては、寄生容量Ｃｇｄ１を介して、走査信号線Ｇｎのゲート信号がＴＦＴ１０４のドレインレベルをΔＶ１だけ変動させる。
【０００７】
ここで、画素ＰＩＸの液晶容量をＣｌｃで示し、補助容量をＣｃｓで示すとき、前記ΔＶ１は、
ΔＶ１＝Ｖｇｐｐ×｛Ｃｇｄ１／（Ｃｌｃ＋Ｃｃｓ＋Ｃｇｄ１＋Ｃｇｄ２）｝
と表すことができる。
【０００８】
そして、自段の走査信号線Ｇｎのゲート信号によって引き起こされるΔＶ１は、ＴＦＴ１０４のドレインレベルの振幅中心Ｖｃｏｍを、データ信号の振幅中心Ｖｓｃから該ΔＶ１だけ低くするように作用する。
【０００９】
このΔＶ１が他の行と異なることが問題であり、正書き込みと負書き込みでの液晶印加電圧が異なることで、第1行目のみフリッカや輝度差が生じやすくなる。さらに、第1行目において液晶にＤＣ成分が印加されるため、液晶が劣化しやすいと言う信頼性上の問題も生じる。
【００１０】
従来、上記課題を解決するための様々な手法が提案されている。例えば、特許文献１には、下ゲート構造のパネルに、第１行目の画素に近接して、表示に寄与しない、該第１行目の画素と他の画素との上記のような非対称性を補償するためのダミーの走査信号線（ダミー走査信号線Ｇ０）を形成した液晶表示装置が記載されている。図２６は、この特許文献１に係る液晶表示装置の構成を示す回路図であり、図２７は、該液晶表示装置のダミー走査信号線及び走査信号線に入力される各信号のタイミングチャートである。
【００１１】
図２６に示すように、上記液晶表示装置では、ゲート信号の走査開始側に位置する最端部の走査信号線（図２６の例では最上段の走査信号線）Ｇ１の外側に、この走査信号線Ｇ１に対して平行で、かつ、この走査信号線Ｇ１に接続されたＴＦＴ１０４に連なる画素電極１０７を挟んで対向配置された状態で容量形成用のダミー走査信号線Ｇ０が形成されている。また、ダミー走査信号線Ｇ０は、走査信号線駆動回路Ｋに接続され、ゲート信号が入力される。
【００１２】
この構成によれば、最上段の走査信号線Ｇ１に接続されたＴＦＴ１０４に連なる画素電極１０７は、この走査信号線Ｇ１とダミー走査信号線Ｇ０とによって上下に挟まれた状態となる。すなわち、全ての画素が幾何学的に上下の対称性が保たれるようになる。これにより、最上段の走査信号線Ｇ１で駆動される画素は、他の走査信号線Ｇ２，Ｇ３，…で駆動される画素と全く同じ条件になるため、従来のように、最上段の１ライン分の画素において、フリッカが生じやすいといった現象を防ぐことができる。
【特許文献１】特開平９−２８８２６０号公報（１９９７年１１月４日公開）
【発明の開示】
【発明が解決しようとする課題】
【００１３】
ところが、上記の構成では、走査信号線駆動回路において、ダミー走査信号線Ｇ０にゲート信号を出力するための回路領域が必要になる。走査信号線やデータ信号線などを形成する製造プロセスを用いて、基板上に、走査信号線駆動回路を、直接形成する場合は表示領域周辺部の回路領域が拡大し、走査信号線駆動回路が、ゲートドライバのような外部回路である場合には、ドライバの実装領域が拡大する。また、ダミー走査信号線Ｇ０と走査信号線駆動回路を接続するための接続配線の領域が必要となる。そのため、特に近年提案されている、携帯電話・ＰＤＡ等の小型・高精細化に対応した狭額縁の液晶表示装置への適用が困難となる。さらに、走査信号線駆動回路が、外部回路である場合、ダミー走査信号線Ｇ０と外部回路とを接続するために、ダミー走査信号線Ｇ０に電気的に接続されたパッドを露出させる必要があり、このパッド部から静電気が侵入し、断線や他の配線とのリークといった不良が発生するおそれもある。
【００１４】
ここで、狭額縁の液晶表示装置に適用可能な構成として、上記特許文献１には、ダミー走査信号線Ｇ０が、どこにも接続されず何ら信号が入力されない構成が記載されている。ところが、この構成では、装置自体の小型化を実現することはできるものの、第１行目の画素と他の画素との対称性が崩れ、フリッカの抑制の効果が薄れてしまうという問題がある。
【００１５】
図２８は、ダミー走査信号線Ｇ０に信号入力しない場合の構成を示す回路図であり、図２９（ａ）は、第３行目の画素ＰＩＸに関わる各種信号の波形を示すタイミングチャートであり、図２９（ｂ）は、第１行目の画素ＰＩＸに関わる各種信号の波形を示すタイミングチャートである。ここで、共通電極電位（Ｖｃｏｍ）は、低消費電力が必要とされる小型の液晶表示装置に対応して、水平走査期間に同期し交流波形の信号（ＡＣ信号）である。すなわち、Ｖｃｏｍの電位を変動させることによって、データ信号線駆動回路から出力されるデータ信号の振幅を抑えることが可能となるため、駆動回路の構成を低耐圧で簡略化することができ、低消費、低コスト、小型の液晶表示装置を実現することができる。
【００１６】
このような、ダミー走査信号線Ｇ０に信号入力しない液晶表示装置において、Ｖｃｏｍの電位が変動する構成の場合は、ダミー走査信号線Ｇ０およびデータ信号線Ｓ１・Ｓ２…により形成される容量の総和Ｃｇｏ−ｓと、ダミー走査信号線Ｇ０および共通電極により形成される容量Ｃｇｏ−ｃｏｍとにより、ダミー走査信号線Ｇ０の電位が変動する。そのため、ゲートオフ電位が一定である駆動方式の場合、図２９（ａ）に示すように、第３行目のＶｇ２が一定であるのに対して、図２９（ｂ）に示すように、ダミー走査信号線Ｇ０の電位Ｖｇ０は不安定な状態となる。それに伴って、第１行目の画素電極の保持電位が変動するという問題が生じる。
【００１７】
ここで、ダミー走査信号線Ｇ０が設けられる第１行目の画素ＰＩＸの電位Ｖｄ１Ｌ（ローレベル側），Ｖｄ１Ｈ（ハイレベル側）と、その他の行（ここでは、一例として第３行目）の画素ＰＩＸの電位Ｖｄ３Ｌ（ローレベル側），Ｖｄ３Ｈ（ハイレベル側）とは、電荷保存則に基づき次式で表される。
【００１８】
【数１】
2009237282.tif 000003
【００１９】
【数２】
2009237282.tif 000004
【００２０】
【数３】
2009237282.tif 000005
【００２１】
【数４】
2009237282.tif 000006
【００２２】
上式（２），（４）の第３項の式から分かるように、第１行目の画素ＰＩＸにおける保持期間中の電位変動量（Ｖｄ１Ｈ−Ｖｄ１Ｌ）と、第３行目の画素における保持期間中の電位変動量（Ｖｄ３Ｈ−Ｖｄ３Ｌ）とが異なる。
【００２３】
そのため、ダミー走査信号線Ｇ０が設けられる第１行目とその他の行とでは、保持期間中に液晶に印加される電圧が互いに異なることとなり、第１行目とその他の行とで表示状態に差が生じ、全体として表示品位が劣化する。この電位差による表示品位の劣化は、特に、容量Ｃｇｏ−ｓと容量Ｃｇｏ−ｃｏｍとの和が、ダミー走査信号線Ｇ０と第１行目の画素ＰＩＸの間に形成される容量の総和ＣｇｏΣに対して大きくなるほど顕著となる。
【００２４】
また、上式それぞれにおける第２項の式から分かるように、ゲート信号の電位がハイレベルからローレベルに変化するときの画素電位の変動量（引き込み量）が、第１行目とその他の行とで互いに異なる。
【００２５】
そのため、ダミー走査信号線Ｇ０が設けられる第１行目とその他の行とでは、最適共通電位が互いに異なることとなり、第１行目ではフリッカ等の表示不良が生じる。なお、最適共通電位とは、共通電極の電位に対して画素電極電位が正極性側（正書き込み）のときの液晶印加電圧と、負極正側（負書き込み）のときの液晶印加電圧とが等しくなる共通電極の電位をいい、交流駆動の際に最適共通電位と実際の共通電極電位とが異なると、正書き込み時と負書き込み時とで液晶印加電圧が異なり、駆動周波数によってはフリッカや輝線等が生じることになる。この最適共通電位の差によるフリッカの発生は、特に、ダミー走査信号線Ｇ０と第１行目の画素ＰＩＸの間に形成される容量の総和ＣｇｏΣが、容量Ｃｇｏ−ｓと容量Ｃｇｏ−ｃｏｍとの和に対して大きくなるほど顕著となる。
【００２６】
このように、従来の技術では、表示装置の小型化を図るべくダミー走査信号線Ｇ０に信号入力をしない構成の場合、ダミー走査信号線Ｇ０を設けた行とその他の行とで表示状態に差が生じ、表示装置全体として表示品位が劣化するという問題が生じる。
【００２７】
本発明は上記従来の問題点に鑑みてなされたものであり、その目的は、小型化を図るとともに、各行の表示状態を均等化することにより、表示品位の劣化を抑えることが可能な表示装置を提供することにある。
【課題を解決するための手段】
【００２８】
本発明に係る表示装置は、上記課題を解決するために、走査信号線と、この走査信号線によってオン／オフされるスイッチング素子と、このスイッチング素子の一端に接続された画素電極とを含んで構成される行を複数備えるとともに、前記各行のスイッチング素子の他端に接続されたデータ信号線を含む表示パネルを備えた表示装置において、走査信号の走査開始側または走査終了側に位置する最端部の行には、ダミー走査信号線が設けられ、前記ダミー走査信号線は、前記ダミー走査信号線は、前記走査信号線に入力される前記スイッチング素子のオフ電位信号の電位変動と同じ周期で電位変動する信号が入力される信号線の少なくとも一部に絶縁膜を介して重畳して設けられていることを特徴としている。
【００２９】
なお、表示装置の典型的な配置において、「行」及び「列」、「水平」及び「垂直」は、それぞれ表示パネルの横方向及び縦方向の並びであることが多いが、必ずしもこのとおりである必要はなく、縦横の関係が逆転していてもよい。したがって、本発明における「行」、「列」、「水平」及び「垂直」とは、特に方向を限定するものではない。
【００３０】
上記の構成によれば、走査信号の走査開始側または走査終了側に位置する最端部の行に、ダミー走査信号線（Ｇ０）が設けられている。これにより、最端部の走査信号線（Ｇ１）に対応する行の画素は、この走査信号線Ｇ１とダミー走査信号線Ｇ０とにより寄生容量が形成される。そのため、走査信号線Ｇ１で駆動される画素は、他の走査信号線Ｇ２，Ｇ３，…で駆動される画素と同じ条件にすることができるため、各画素において生じる寄生容量の均等化を図ることができる。
【００３１】
また、上記の構成によれば、ダミー走査信号線は、該ダミー走査信号線と、前記走査信号線に入力されるスイッチング素子のオフ電位信号の電位変動と同じ周期で電位変動する信号が入力される信号線との間で容量が形成されるように、該信号線の少なくとも一部に重畳して設けられている。よって、最端部の１ライン分の画素において、フリッカが生じやすいといった現象を低減することができる。
【００３２】
ここで、走査信号線に入力されるスイッチング素子のオフ信号の電位変動と同じ周期で電位変動の信号が入力される信号線とは、走査信号線や、データ信号線の導通状態やスイッチング素子の動作状態を検査するための信号を供給する配線や、液晶材に混入したイオン性不純物を表示領域の外側に留めておくために利用される導電片や、該導電片に信号を供給する配線や、走査信号線やデータ信号線に入力される信号を生成するために必要な信号を供給する配線等が挙げられる。
【００３３】
本発明の構成では、ダミー走査信号線Ｇ０は、これらの信号線と絶縁膜を介して重畳するように設けられているため、ダミー走査信号線Ｇ０が受ける電位変動が、走査信号線Ｇ１，Ｇ２，…が受ける電位変動に近づくことになる。また、両信号線の重畳部において容量が形成されるため、ダミー走査信号線において形成される容量の総和が、上記従来の構成より大きくなる。
【００３４】
これにより、上記従来の構成における、第１行目の画素における保持期間中の電位変動量（Ｖｄ１Ｈ−Ｖｄ１Ｌ）と、その他の行（例えば、第３行目）の画素における保持期間中の電位変動量（Ｖｄ３Ｈ−Ｖｄ３Ｌ）との差の要因である成分、すなわち、式（４）の第３項の値が小さくなる。つまり、本発明の構成によれば、第１行目の電位変動量（Ｖｄ１Ｈ−Ｖｄ１Ｌ）と、第３行目の電位変動量（Ｖｄ３Ｈ−Ｖｄ３Ｌ）との差を、従来と比較して小さくすることができる。
【００３５】
そのため、ダミー走査信号線Ｇ０が設けられる第１行目とその他の行とのそれぞれにおいて、保持期間中に液晶に印加される電圧を均等化することができる。これにより、従来生じている第１行目とその他の行との表示状態の差を低減することができ、全体として表示品位の劣化を抑えることが可能となる。
【００３６】
また、上記従来の構成における、第１行目の画素における引き込み量と、その他の行（例えば、第３行目）の画素における引き込み量との差の要因であるゲート−ドレイン間の寄生容量に関する成分、すなわち、式（３），（４）の第２項中の、Ｃｇｏ・ＣｇｏΣ／｛（Ｃｇｏ−ｃｏｍ）＋（Ｃｇｏ−ｓ）＋ＣｇｏΣ｝の値が小さくなる。つまり、本発明の構成によれば、電位Ｖｄ３ＬとＶｄ１Ｌとの差、電位Ｖｄ３ＨとＶｄ１Ｈとの差を、それぞれ小さくすることができる。
【００３７】
そのため、第１行目の最適共通電位と、その他の行の最適共通電位との差を小さくすることができる。これにより、第１行目で生じるフリッカの影響による表示不良を低減することができる。
【００３８】
このように、本発明の構成によれば、ダミー走査信号線に信号入力しない構成の場合でも、各行の表示状態の差を小さくすることができるため、表示品位の劣化を抑えるとともに、表示装置の小型化を実現することが可能となる。
【００３９】
本発明に係る表示装置は、上記表示装置において、前記信号線に入力される信号電位の振幅と、前記スイッチング素子のオフ電位の振幅とが同じであることが望ましい。また、前記信号線に入力される信号電位と、前記スイッチング素子のオフ電位とは、ともに一定であることが望ましい。
【００４０】
これらの構成によれば、ダミー走査信号線の電位変動を、走査信号線に入力される電位信号の電位変動に、より確実に近づけることができるため、表示品位の劣化を抑えることができる。
【００４１】
本発明に係る表示装置は、上記表示装置において、表示領域外において、前記走査信号線および前記データ信号線の少なくとも何れか一方に接続されたスイッチング素子と、該スイッチング素子に直接、もしくは他のスイッチング素子を介して電気的に接続された第１の信号供給配線とをさらに備え、前記信号線は、前記第１の信号供給配線であることことが望ましい。
【００４２】
なお、第１の信号供給配線は、前記他のスイッチング素子に限らず、ダイオード等の他の素子を介して電気的に接続されていてもよい。
【００４３】
また、前記第１の信号供給配線は、前記表示パネルの表示状態を、前記走査信号線およびデータ信号線の少なくとも何れか一方ごとに検査するための、検査用の信号を供給するための配線（検査信号用配線）であることが望ましい。
【００４４】
すなわち、ダミー走査信号線と重畳して容量を形成する上記信号線は、上記検査信号用配線であることが望ましい。この構成においても、上述した寄生容量およびフリッカに起因する表示品位の劣化を抑えることができるという効果を奏する。
【００４５】
ここで、検査終了後の最終製品では、検査信号用配線のうち検査用スイッチング素子をオン／オフさせる信号を入力する配線には、検査用スイッチング素子をオフさせるような信号を入力することが望ましい。これは、検査用スイッチング素子と検査信号用配線とを介して、走査信号線（またはデータ信号線）同士が導通してしまうことを確実に回避するためである。この検査用スイッチング素子用の検査信号用配線にスイッチング素子をオフさせるＤＣ信号が入力されており、走査信号線のオフ電位信号もＤＣ信号であった場合には、ダミー走査信号線をこの検査用スイッチング素子用の検査信号用配線に交差させる上記の構成により、新たな信号線や電源を追加することなく上述の効果を得ることができる。
【００４６】
本発明に係る表示装置は、上記表示装置において、前記第１の信号供給配線は、前記表示パネルにおける前記走査信号線およびデータ信号線の少なくとも何れか一方に入力する信号を生成するための信号を供給する配線であることが望ましい。
【００４７】
上記の構成によれば、例えば、走査信号線に入力する信号を生成するための信号を供給する配線の一つには、走査信号線のオフ電位の信号が入力される。ダミー走査信号線を、前記走査信号線のオフ電位の信号が入力された配線に交差させることにより、新たな信号線や電源を追加することなく上述の効果を得ることができる。
【００４８】
本発明に係る表示装置は、上記表示装置において、前記表示パネルには液晶材料が封入されており、液晶材料が封入された領域であって、かつ表示領域外において、画素電極と同じ材料で形成された導電片と、該導電片に接続された第２の信号供給配線とを備え、前記信号線は、前記導電片または前記第２の信号供給配線であることが望ましい。
【００４９】
上記の構成によれば、例えば液晶材に混入したイオン性不純物を表示領域の外側に留めておくために利用されるイオン性不純物吸着用配線において、このイオン性不純物吸着用配線には、例えばプラスのイオン性不純物を吸着させるためにマイナスのＤＣ信号が入力される。そのため、走査信号線のオフ電位信号もＤＣ信号であった場合には、ダミー走査信号線をこのイオン性不純物吸着用配線に交差させることにより、新たな信号線や電源を追加することなく上述した効果を得ることができる。
【００５０】
本発明に係る表示装置は、上記課題を解決するために、走査信号線と、この走査信号線によってオン／オフされるスイッチング素子と、このスイッチング素子の一端に接続された画素電極とを含んで構成される行を複数備えるとともに、前記各行のスイッチング素子の他端に接続されたデータ信号線を含む表示パネルを備えた表示装置において、
走査信号の走査開始側または走査終了側に位置する最端部の行には、ダミー走査信号線が設けられ、前記ダミー走査信号線は、少なくとも１つの走査信号線の少なくとも一部に重畳して設けられていることを特徴としている。
【００５１】
上記の構成によれば、ダミー走査信号線と走査信号線との間に容量を形成することができる。これにより、上述した効果を奏することができる。また、容量を形成するための新たな信号線や駆動回路等を必要とせず、さらには、ダミー走査信号線を形成する工程で製造することができるため、構成および製造工程の簡略化を図ることもできる。
【００５２】
本発明に係る表示装置は、上記表示装置において、前記ダミー走査信号線は、各行に備えられた全ての前記走査信号線と交差するように設けられていることが望ましい。
【００５３】
上記の構成によれば、ダミー走査信号線は、全ての走査信号線と交差する部分に重畳部が形成される。これにより、全ての行で等しく容量が形成されるため、特定の走査信号線で負荷が大きくなることを防ぐことができる。そのため、特定の行で表示品位が異なることを防止できる。
【００５４】
本発明に係る表示装置は、上記表示装置において、前記ダミー走査信号線は、さらに、該ダミー走査信号線と前記走査信号線とが交差する領域の面積が、各行で同一となるように設けられていることが望ましい。
【００５５】
上記の構成によれば、ダミー走査信号線は、さらに、全ての走査信号線との重畳部の面積が同一となっている。これにより、表示品位をより確実に均等化することができる。
【００５６】
本発明に係る表示装置は、上記表示装置において、前記画素電極に液晶を介して対向配置される共通電極に入力される信号は、水平走査期間に同期した交流波形の信号であることが望ましい。
【００５７】
低消費電力が必要とされる小型の液晶表示装置では、共通電極電位（Ｖｃｏｍ）が、水平走査期間に同期した交流波形の信号（ＡＣ信号）である駆動方式が広く用いられている。
【００５８】
従来このような液晶表示装置では、Ｖｃｏｍの電位が変動する場合、ダミー走査信号線の電位の変動量が大きくなり、それに伴って第１行目の画素電極の保持電位が変動するという問題が生じている。
【００５９】
この点、本発明の構成によれば、ダミー走査信号線に形成される容量を大きくすることができるため、ダミー走査信号線全体としては、電位変動の要因となる、ダミー走査信号線−データ信号線間容量（Ｃｇｏ−ｓ）およびダミー走査信号線−共通電極間容量（Ｃｇｏ−ｃｏｍ）の影響が小さくなる。そのため、従来の構成と比較して、ダミー走査信号線の電位の変動量が小さくなるため、第１行目の画素電極の保持電位の変動を抑制することができる。
【００６０】
よって、共通電極電位（Ｖｃｏｍ）がＡＣ信号である液晶表示装置においても、表示品位の劣化を抑えることが可能となる。
【発明の効果】
【００６１】
本発明に係る表示装置は、以上のように、走査信号の走査開始側または走査終了側に位置する最端部の行には、ダミー走査信号線が設けられ、前記ダミー走査信号線は、前記走査信号線に入力される前記スイッチング素子のオフ電位信号の電位変動と同じ周期で電位変動する信号が入力される信号線の少なくとも一部に絶縁膜を介して重畳して設けられている構成である。
【００６２】
また、本発明に係る表示装置では、前記ダミー走査信号線が、少なくとも１つの走査信号線の少なくとも一部に重畳して設けられている構成であってもよい。
【００６３】
これにより、ダミー走査信号線において形成される容量を大きくすることができるため、表示装置の小型化を図るとともに、各行の表示状態を均等化することにより、表示品位の劣化を抑えることができるという効果を奏する。
【発明を実施するための最良の形態】
【００６４】
〔実施の形態１〕
本発明の一実施形態について図１から図１４に基づいて説明すると以下の通りである。
【００６５】
まず、図１及び図２に基づいて本発明の表示装置に相当する液晶表示装置１の構成について説明する。なお、図１は、本実施の形態１に係る液晶表示装置１の全体構成を示すブロック図であり、図２は液晶表示装置１の画素の電気的構成を示す等価回路図である。なお、液晶表示装置の配置において、「行」及び「列」、「水平」及び「垂直」は、それぞれ表示パネルの横方向及び縦方向の並びであることが多いが、必ずしもこのとおりである必要はなく、縦横の関係が逆転していてもよい。したがって、本発明における「行」、「列」、「水平」及び「垂直」とは、特に方向を限定するものではない。
【００６６】
液晶表示装置１は、アクティブマトリクス型の液晶表示パネル（表示パネル）１０、データドライバ（データ信号線駆動回路）２０、ゲートドライバ（走査信号線駆動回路）３０、及び制御装置（図示せず）を含んで、その主要部が構成されている。
【００６７】
液晶表示パネル１０は、図示しないアクティブマトリクス基板と対向基板との間に液晶を挟持して構成されており、行列状に配列された多数の画素ＰＩＸを有している。
【００６８】
そして、液晶表示パネル１０は、アクティブマトリクス基板上に、本発明のデータ信号線、走査信号線、スイッチング素子、及び画素電極にそれぞれ相当するデータ信号線Ｓｎ、走査信号線Ｇｎ、薄膜トランジスタ（Thin Film Transistor。以下「ＴＦＴ」と称する。）１１、及び画素電極１２を備え、対向基板上に共通電極１３を備えている。また、液晶表示パネル１０は、補助容量１４を形成するためのＣＳライン１５を備えている。
【００６９】
データ信号線Ｓｎは、列方向（縦方向）に互いに平行となるように各列に１本ずつ形成されており、走査信号線Ｇｎは行方向（横方向）に互いに平行となるように各行に１本ずつ形成されている。ＴＦＴ１１及び画素電極１２は、データ信号線Ｓｎと走査信号線Ｇｎとの各交点に対応してそれぞれ形成されており、ＴＦＴ１１のソース電極がデータ信号線Ｓｎに、ゲート電極が走査信号線Ｇｎに、ドレイン電極が画素電極１２にそれぞれ接続されている。また、画素電極１２は、共通電極１３との間に液晶を介して液晶容量（Ｃｌｃ）１６を形成している。
【００７０】
これにより、走査信号線Ｇｎに供給されるゲート信号（走査信号）によってＴＦＴ１１のゲートをオンし、データ信号線Ｓｎからのデータ信号を画素電極１２に書き込んで画素電極１２を上記データ信号に応じた電位に設定し、共通電極１３との間に介在する液晶に対して上記データ信号に応じた電圧を印加することによって、上記データ信号に応じた階調表示を実現することができる。
【００７１】
ＣＳライン１５は、行方向（横方向）に互いに平行となるように各行に１本ずつ形成されており、走査信号線Ｇｎと対をなすように配置されている。この各ＣＳライン１５は、それぞれ各行に配置された画素電極１２と容量結合されており、各画素電極１２との間で補助容量（Ｃｃｓ）１４を形成している。なお、本発明の液晶表示装置１では、ＣＳラインは、省略されていてもよい。
【００７２】
なお、ＴＦＴ１１には、その構造上、ゲート電極とドレイン電極との間に寄生容量１８（Ｃｇｄ１），１９（Ｃｇｄ２）が形成され、画素電極１２の電位は走査信号線Ｇｎの電位変化による影響（引き込み）を受けることになる。
【００７３】
上記構成の液晶表示パネル１０は、データドライバ２０、ゲートドライバ３０、及びこれらを制御する制御装置４０によって駆動される。
【００７４】
本発明の液晶表示装置の駆動方式としては、一例として、周期的に繰り返される垂直走査期間におけるアクティブ期間（有効走査期間）において、各行の水平走査期間を順次割り当て、各行を順次走査していくものである。そのために、ゲートドライバ３０は、ＴＦＴ１１をオンするためのゲート信号を各行の水平走査期間に同期して当該行の走査信号線Ｇｎに対して順次出力する。また、データドライバ２０は、各データ信号線Ｓｎに対してデータ信号を出力する。このデータ信号は、制御装置４０を介してデータドライバ２０に供給された映像信号を、データドライバ２０において各列に割り当て、昇圧等を施した信号である。
【００７５】
なお、本実施形態のゲートドライバ３０及びデータドライバ２０の構成は、特に限定されるものではなく、従来の一般的な構成を採用することができる。
【００７６】
制御装置は、上述したデータドライバ２０、ゲートドライバ３０を制御することにより、これら各回路から所望の信号を出力させるものである。
【００７７】
このような液晶表示装置１においては、「背景技術」欄において説明したとおり、第１行目の画素ＰＩＸでは、寄生容量Ｃｇｄ２を形成する前段の走査信号線Ｇ０が存在しない（図２３参照）ため第１行目の画素ＰＩＸのみ、画素ＰＩＸの総容量が異なるため、引き込み量も異なり、フリッカや輝度差が生じやすくなる。さらに、第1行目において液晶にＤＣ成分が印加されるため、液晶が劣化しやすいと言う信頼性上の問題も生じる。そのため、従来では、走査信号線Ｇ０に相当するダミーの走査信号線を設けて、表示品位の劣化を抑える手法がとられている。しかしながら、従来の技術では、特に小型の液晶表示装置では、ダミー走査信号線Ｇ０に信号入力されていないため、画素電極における保持電位が変動し、表示品位が劣化するという問題が生じる。
【００７８】
そこで、本実施形態の液晶表示装置１では、上記問題を解決すべく、図１に示すように、第１行目の画素ＰＩＸに対応するダミー走査信号線Ｇ０が設けられているとともに、このダミー走査信号線Ｇ０は、絶縁膜を介して、各走査信号線Ｇ１，Ｇ２，…Ｇｎと、それぞれ部分的に重畳するように設けられている。図３は、第１行目から第３行目までの一部の画素の電気的構成を示す等価回路図である。また、図４（ａ）は、第３行目の画素ＰＩＸに関わる各種信号の波形を示すタイミングチャートであり、図４（ｂ）は、第１行目の画素ＰＩＸに関わる各種信号の波形を示すタイミングチャートである。
【００７９】
図３に示すように、ダミー走査信号線Ｇ０は、第１行目の画素ＰＩＸを挟み込むように設けられるとともに、各走査信号線Ｇ１，Ｇ２，…Ｇｎと交差している。すなわち、ダミー走査信号線Ｇ０は、各走査信号線Ｇ１，Ｇ２，…Ｇｎの少なくとも一部で重畳部を形成している。これにより、ダミー走査信号線Ｇ０と、各走査信号線Ｇ１，Ｇ２，…Ｇｎとのそれぞれの交差部（重畳部）には、容量Ｃｇｏ−ｇが形成される。そのため、ダミー走査信号線Ｇ０に形成される容量は、図２８に示す従来の構成におけるダミー走査信号線Ｇ０に形成される容量に、各走査信号線Ｇ１，Ｇ２，…Ｇｎとで形成される容量Ｃｇｏ−ｇ１，Ｃｇｏ−ｇ２，Ｃｇｏ−ｇ３，…Ｃｇｏ−ｇｎが加わる。これらの総和をＣｇｏ−ｇΣとすると、第１行目の画素ＰＩＸの電位Ｖｄ１Ｌ′（ローレベル側），Ｖｄ１Ｈ′（ハイレベル側）と、その他の行（ここでは、一例として第３行目）の画素ＰＩＸの電位Ｖｄ３Ｌ′（ローレベル側），Ｖｄ３Ｈ′（ハイレベル側）とは、電荷保存則に基づき次式で表される。
【００８０】
【数５】
2009237282.tif 000007
【００８１】
【数６】
2009237282.tif 000008
【００８２】
【数７】
2009237282.tif 000009
【００８３】
【数８】
2009237282.tif 000010
【００８４】
上式（７），（８）において、第１行目の画素ＰＩＸにおける保持期間中の電位変動量（Ｖｄ１Ｈ′−Ｖｄ１Ｌ′）と、第３行目の画素ＰＩＸにおける保持期間中の電位変動量（Ｖｄ３Ｈ′−Ｖｄ３Ｌ′）との差の要因である成分、すなわち、式（８）の第３項中の、Ｃｇｏ・ＣｇｏΣ／｛（Ｃｇｏ−ｃｏｍ）＋（Ｃｇｏ−ｓ）＋ＣｇｏΣ＋（Ｃｇｏ−ｇΣ）｝，（Ｃｇｏ−ｃｏｍ）／｛（Ｃｇｏ−ｃｏｍ）＋（Ｃｇｏ−ｓ）＋ＣｇｏΣ＋（Ｃｇｏ−ｇΣ）｝，（Ｃｇｏ−ｓ）／｛（Ｃｇｏ−ｃｏｍ）＋（Ｃｇｏ−ｓ）＋ＣｇｏΣ＋（Ｃｇｏ−ｇΣ）｝の値が、それぞれ、従来の構成の場合の式（４）における値よりも小さくなる。これにより、第１行目の電位変動量（Ｖｄ１Ｈ′−Ｖｄ１Ｌ′）と、第３行目の電位変動量（Ｖｄ３Ｈ′−Ｖｄ３Ｌ′）との差が、従来と比較して小さくなる。このように、ダミー走査信号線Ｇ０には、ダミー走査信号線Ｇ０と各走査信号線とで形成される容量Ｃｇｏ−ｇΣが追加されるため、ダミー走査信号線Ｇ０全体としては、電位変動の要因となる、ダミー走査信号線Ｇ０−データ信号線間容量（Ｃｇｏ−ｓ）、およびダミー走査信号線Ｇ０−共通電極間容量（Ｃｇｏ−ｃｏｍ）の影響が小さくなる。そのため、図４（ｂ）に示すように、従来の構成（図２９（ｂ）参照）と比較して、ダミー走査信号線Ｇ０の電位Ｖｇ０の変動量が小さくなるため、第１行目の画素電極１２の保持電位の変動を抑制することができる。そのため、共通電極電位（Ｖｃｏｍ）がＡＣ信号である液晶表示装置においても、表示品位の劣化を抑えることが可能となる。
【００８５】
このように、第１行目の画素電極１２の保持電位を安定させることができ、また、第１行目の画素ＰＩＸにおける保持期間中の電位変動量（Ｖｄ１Ｈ′−Ｖｄ１Ｌ′）と、他の行（ここでは、第３行目）の画素ＰＩＸにおける保持期間中の電位変動量（Ｖｄ３Ｈ′−Ｖｄ３Ｌ′）との差を小さくすることができるため、第１行目とその他の行との表示品位を均等化することができる。
【００８６】
また、上式（７），（８）において、第１行目の画素ＰＩＸにおける引き込み量と、他の行（ここでは、第３行目）の画素ＰＩＸにおける引き込み量との差の要因であるゲート−ドレイン間の寄生容量に関する成分、すなわち、式（７），（８）の第２項中の、Ｃｇｏ・ＣｇｏΣ／｛（Ｃｇｏ−ｃｏｍ）＋（Ｃｇｏ−ｓ）＋ＣｇｏΣ＋（Ｃｇｏ−ｇΣ）｝の値が、従来の構成の場合の式（３），（４）における値よりも小さくなる。これにより、電位Ｖｄ３ＬとＶｄ１Ｌとの差、電位Ｖｄ３ＨとＶｄ１Ｈとの差が、それぞれ小さくなる。そのため、第１行目の最適共通電位と、他の行の最適共通電位との差が小さくなる。よって、第１行目で生じるフリッカの影響による表示不良を低減することができる。
【００８７】
以上のように、本実施の形態１の液晶表示装置１の構成によれば、ダミー走査信号線Ｇ０を走査信号線Ｇｎに交差するように配置して、交差部に容量を形成することによって、第１行目とその他の行との表示状態を均等化することができる。よって、液晶表示装置としての表示品位の劣化を抑えることができる。
【００８８】
ここで、本実施の形態１のダミー走査信号線Ｇ０は、図１に示すように、全ての走査信号線Ｇ１，Ｇ２，…Ｇｎと交差して設けられていることが好ましい。これにより、全ての行で等しく容量が形成されるため、特定の走査信号線で負荷が大きくなることを防ぐこともできる。本発明に係る表示装置は、上記表示装置において、前記ダミー走査信号線は、各行に備えられた全ての前記走査信号線と交差するように設けられていることが望ましい。
【００８９】
また、ダミー走査信号線Ｇ０は、全ての走査信号線と交差する部分（領域）の面積（重畳面積）が同一となるように設けられていることが好ましい。この構成によれば、全ての行において、確実に特定の走査信号線で負荷が大きくなることを防ぐこともできる。
【００９０】
また、ダミー走査信号線Ｇ０の線幅は、走査信号線と交差する部分以外は細くしておくことが好ましい。図５は、この構成の場合の、ダミー走査信号線Ｇ０と走査信号線との交差部を拡大した図である。これにより、ダミー走査信号線Ｇ０と共通電極１３との間に形成される不要な容量を低減することができる。
【００９１】
ここで、図５には、ダミー走査信号線Ｇ０と走査信号線とが交差している様子が示されているため、本実施の形態１におけるダミー走査信号線Ｇ０と走査信号線との交差部の構成の一例について簡単に説明する。図５に示すように、ダミー走査信号線Ｇ０は、走査信号線Ｇ１，Ｇ２，…Ｇｎと平行する部分（平行部分Ｇ０ａ）とそれに直交する部分（直交部分Ｇ０ｂ）とに分けられ、互いにコンタクトホールを介して接続されている。そして、平行部分Ｇ０ａは、走査信号線Ｇ１，Ｇ２，…Ｇｎと同材料でかつ同層に形成され、直交部分Ｇ０ｂは、データ信号線Ｓｎと同材料でかつ同層に形成されている。これにより、ダミー走査信号線Ｇ０と走査信号線Ｇ１，Ｇ２，…Ｇｎとは、絶縁膜を介して重なる構成となる。
【００９２】
なお、図５に示す構成に限らず、ダミー走査信号線Ｇ０の線幅が一定のストレートな形状であっても、十分効果を得ることはできる。例えば、ダミー走査信号線Ｇ０と対向基板に形成された共通電極１３との間は少なくとも２〜７ｕｍ程度のセルギャップで、比誘電率２〜１５程度の液晶層が存在する。そして、ダミー走査信号線Ｇ０と走査信号線との間の絶縁層は、０．２〜０．６ｕｍ程度で比誘電率は５〜８程度である。そのため、５ｕｍのセルギャップで液晶の比誘電率が５．０、絶縁膜の膜厚が０．４ｕｍで比誘電率が６．９の場合、ストレートな形状のダミー走査信号線Ｇ０でも共通電極１３との容量の増加より、走査信号線との容量を十分獲得することができる。
【００９３】
また、ダミー走査信号線Ｇ０は、液晶表示パネル１０の端部まで延出させず、可能な限り設置領域を小さくすることが好ましい。これにより、ダミー走査信号線Ｇ０への静電気の進入等を防ぐことができる。
【００９４】
また、ダミー走査信号線Ｇ０は、対向基板に配置された共通電極１３が存在しない領域で、走査信号線と交差することが好ましい。これにより、ダミー走査信号線Ｇ０と共通電極１３との間に形成される容量を少なくすることができる。
【００９５】
また、ダミー走査信号線Ｇ０は、ゲート信号の入力側で走査信号線と交差する構成に限定されず、ゲート信号の入力側とは反対側（走査信号線の終端側）で交差する構成であってもよい。なお、データ信号線に対しても同様であり、ダミー走査信号線Ｇ０は、データ信号の入力側とは反対側（データ信号線の終端側）で交差する構成であってもよい。
【００９６】
また、本実施の形態１の液晶表示装置１では、画素電極１２の形状が、走査信号線の延在方向（行方向）に長い場合に効果が大きい。図６は、画素電極１２が横長形状の構成を示す図である。画素電極１２が横長形状で、かつ同一の画素面積で同一の補助容量を形成した場合、ダミー走査信号線Ｇ０と画素電極１２との間で形成される容量Ｃｇｏが大きくなるため、第１行目とその他の行との表示品位の差が大きくなりやすい。このような走査線の延在方向に長い画素は、ゲートドライバ数を増やす代わりに、データドライバ数を減らした表示装置の構成に用いられる。一般に、ゲートドライバの回路構成はデータドライバに比べて複雑ではない。そのため、表示装置の小型化、低コスト化に貢献する。さらに、走査信号線が増えるため、ダミー走査信号線との交差部を形成して、容量を形成しやすい。
【００９７】
ここで、本実施の形態１に係る液晶表示装置１を、他の狭額縁の液晶表示装置に適用した場合の構成例について、図７〜図１４を用いて以下に説明する。
【００９８】
図７は、走査信号線Ｇｎの信号入力方向が、行ごとに異なる場合の液晶表示装置の構成を示す平面図である。同図に示すように、走査信号線Ｇｎは、行ごとに駆動回路との接続方向が左右で異なるように構成されている。この構成において、ダミー走査信号線Ｇ０は、液晶表示パネルの左右両側において走査信号線Ｇｎと交差するように設けられている。これにより、１本の走査信号線に対して２箇所で容量Ｃｇｏ−ｇを形成することができるため、より大きな効果が得られる。
【００９９】
図８は、液晶表示パネルの片側から走査信号線Ｇｎへゲート信号が入力される場合の液晶表示装置の構成を示す平面図である。同図に示すように、ダミー走査信号線Ｇ０と走査信号線Ｇｎとの間に形成される容量Ｃｇｏ−ｇは、ゲート信号の入力側のみで形成される。なお、図９に示すように、ゲート信号の入力側とは反対側である、走査信号線Ｇｎの終端側で容量Ｃｇｏ−ｇが形成されるように、ダミー走査信号線Ｇ０が設けられていてもよい。さらに、図１０に示すように、ゲート信号の入力側、および、その反対側である走査信号線Ｇｎの終端側の両方に、コの字状にダミー走査信号線Ｇ０が設けられていてもよい。
【０１００】
図１１は、走査信号線Ｇｎの信号入力方向が液晶表示パネルの両側からブロックごとに入力される構成の液晶表示装置を示す平面図である。この構成では、図１１において点線枠で囲った部分にダミー走査信号線Ｇ０を引き延ばす必要がないため、共通電極１３との間に形成される不要な容量の増加を抑制することができる。なお、図１２に示すように、ゲート信号の入力側、およびその反対側である走査信号線の終端側の両方にダミー走査信号線Ｇ０が設けられていてもよい。
【０１０１】
図１３は、ゲートドライバが液晶表示パネルの両側に配置される構成の液晶表示装置を示す平面図である。ゲートドライバは、データドライバと異なる位置に配置されていてもよい。また、液晶表示パネルの外部に設けられていてもよいし、基板上に走査信号線やデータ信号線を形成するプロセスを用いて、基板に直接形成されていてもよい。
【０１０２】
図１４は、ダミー走査信号線Ｇ０が、対向基板に配置された共通電極１３が存在しない領域で、走査信号線Ｇｎと交差する構成の液晶表示装置を示す平面図である。これにより、ダミー走査信号線Ｇ０と共通電極１３との間で形成される容量を少なくすることができる。
【０１０３】
以上のように、本実施の形態１の液晶表示装置では、走査信号線のオフ電位信号がＤＣ信号であって共通電極に供給される信号がＡＣ信号である場合に、ダミー走査信号線が他の走査信号線と交差する構成が好ましい。また、走査信号線のオフ電位信号がＤＣ信号であって共通電極に供給される信号がＤＣ信号である場合に、ダミー走査信号線が他の走査信号線と交差する構成が好ましい。
【０１０４】
〔実施の形態２〕
本発明の他の実施形態について図１５から図２２に基づいて説明すれば、以下のとおりである。なお、説明の便宜上、上記実施の形態１において示した部材と同一の機能を有する部材には、同一の符号を付し、その説明を省略する。また、実施の形態１において定義した用語については、特に断らない限り本実施の形態においてもその定義に則って用いるものとする。
【０１０５】
図１５は、本実施の形態２に係る液晶表示装置２の全体構成を示すブロック図である。上記実施の形態１では、ダミー走査信号線Ｇ０が走査信号線Ｇｎと交差する構成（図１参照）であったが、本実施の形態２では、ダミー走査信号線Ｇ０が、絶縁膜を介して、検査信号用配線の少なくとも一部に重畳して設けられている。
【０１０６】
液晶表示装置２を構成する液晶表示パネル１０は、上記実施の形態１に係る液晶表示装置１の構成に加えて、さらに、検査信号用配線（第１の信号供給配線）を備えている。
【０１０７】
検査信号用配線は、液晶表示パネル１０、特には走査信号線やデータ信号線の導通状態やゲート信号によりオン／オフが制御されるＴＦＴ１１の動作状態を検査するための信号を伝送する配線であり、専用のＴＦＴ１１′（検査用スイッチング素子）を介して各データ信号線Ｓ１，Ｓ２，…，Ｓｎに接続されている。具体的には、ＴＦＴ１１′のオン／オフを制御するための検査信号用配線がＴＦＴ１１′のゲート端子に接続され、各データ信号に検査用の信号を入力する検査信号入力配線がソース端子に接続され、データ信号線Ｓｎがドレイン端子に接続されている。これにより、ＴＦＴ１１′をオンするための検査信号を入力することにより、検査信号入力配線から検査信号を入力し、データドライバを実装する前に液晶表示パネル１０の動作状態を検査することが可能となる。
【０１０８】
なお、表示領域のＴＦＴをオンさせるために、例えば、走査信号線側にもデータ信号線側と同様の検査用ＴＦＴと検査信号配線を設置し、この検査用ＴＦＴをオンさせる信号と、表示領域のＴＦＴをオンさせる信号とを検査信号用配線を介して、表示領域の走査信号線に入力する構成としてもよい。
【０１０９】
また、検査信号の入力方法は、上記検査信号用配線を利用した構成に限らず、ドライバからの出力信号を受け取るパッドに直接検査信号を入力する構成や、走査信号線（データ信号線）を、検査用ＴＦＴを介さずに直接共通接続した配線を介して検査信号を入力する構成などが挙げられる。さらに、例えば、データ信号線には上記検査用ＴＦＴを用いた検査信号を入力し、走査信号線にはドライバパッドから検査信号を入力するといった組み合わせも可能である。
【０１１０】
ここで、検査終了後の最終製品では、検査信号用配線のうちＴＦＴ１１′をオン／オフさせる信号を入力する配線には、ＴＦＴ１１′をオフさせるような信号を入力することが望ましい。これは、ＴＦＴ１１′と検査信号用配線を介して、走査信号線（またはデータ信号線）同士が導通してしまうことを確実に回避するためである。
【０１１１】
本実施の形態２では、ダミー走査信号線Ｇ０と、走査信号線に入力されるＴＦＴのオフ電位信号の電位変動と同じ周期で電位変動する信号が入力される検査信号線用配線とが交差することにより、その交差部（重畳部）において容量Ｃｇｏ−ｘが形成される。この容量の総和Ｃｇｏ−ｘΣは、上記実施の形態１で示した式（７），（８）のＣｇｏ−ｇΣに対応している。
【０１１２】
これにより、上記実施の形態１で示したように、ダミー走査信号線Ｇ０には、ダミー走査信号線Ｇ０と検査信号用配線とで形成される容量和Ｃｇｏ−ｘΣが追加されるため、ダミー走査信号線Ｇ０全体としては、電位変動の要因となる、ダミー走査信号線Ｇ０−データ信号線間容量（Ｃｇｏ−ｓ）およびダミー走査信号線Ｇ０−共通電極間容量（Ｃｇｏ−ｃｏｍ）の影響が小さくなる。そのため、第１行目の画素電極の保持電位を安定させることができ、また、第１行目の画素ＰＩＸにおける保持期間中の電位変動量（Ｖｄ１Ｈ′−Ｖｄ１Ｌ′）と、他の行（ここでは、第３行目）の画素ＰＩＸにおける保持期間中の電位変動量（Ｖｄ３Ｈ′−Ｖｄ３Ｌ′）との差を小さくすることができる。したがって、第１行目とその他の行との表示品位を均等化することができる。
【０１１３】
また、第１行目の最適共通電位と、他の行の最適共通電位との差が小さくなることにより、第１行目で生じるフリッカの影響による表示不良が低減されるという効果も上記実施の形態１と同様である。
【０１１４】
このように、ダミー走査信号線をＴＦＴ１１′用の検査信号用配線に交差させているため、例えば、ＴＦＴ１１′用の検査信号用配線にスイッチング素子をオフさせるＤＣ信号が入力され、走査信号線のオフ電位信号もＤＣ信号であった場合には、新たな信号線や電源を追加することなく上述の効果を得ることができる。
【０１１５】
ここで、本実施の形態２に係る液晶表示装置２を、他の狭額縁の液晶表示装置に適用した場合の構成例について、図１６〜図２２を用いて以下に説明する。
【０１１６】
図１６は、検査信号用配線を備えた狭額縁の液晶表示装置の構成を示す平面図である。また、図１７は、ダミー走査信号線Ｇ０が、検査信号用配線と平行に配置されている状態を示す図である。図１７において点線枠で囲った部分は、ダミー走査信号線Ｇ０と検査信号用配線とが平行に配置される部分、すなわち重畳領域を示している。この構成によれば、重畳領域を大きく確保することができるため、ダミー走査信号線Ｇ０に形成される容量を大きくすることができ、表示品位をさらに均等化することができる。
【０１１７】
ここで、本実施の形態２では、ダミー走査信号線Ｇ０と交差する信号線は、上述の検査信号用配線に限定されず、例えば、イオン性不純物吸着用配線（第２の信号供給配線）であってもよい。イオン性不純物吸着用配線は、液晶材に混入した不純物を表示領域外に留めて、表示品位の劣化を防止するものである。なお、このイオン性不純物吸着用配線には、例えばプラスのイオン性不純物を吸着させるためにマイナスのＤＣ信号が入力される。イオン性不純物吸着用配線を備える液晶表示装置の構成例について以下に示す。
【０１１８】
図１８は、ダミー走査信号線Ｇ０が、絶縁膜を介して、イオン性不純物吸着用配線の少なくとも一部に重畳して設けられている状態を示している。ダミー走査信号線Ｇ０とイオン性不純物吸着用配線との交差部（重畳部）において容量Ｃｇｏ−ｔｒが形成される。
【０１１９】
図１９は、ダミー走査信号線Ｇ０が、イオン性不純物吸着用配線と平行に配置されている状態を示す図であり、図２０は、その一部分を拡大した図であり、図２１は、そのＡ−Ａ′断面図である。
【０１２０】
なお、上記イオン性不純物吸着用配線を備える液晶表示装置では、イオン性不純物吸着用配線が液晶層側に設けられる構成上、ダミー走査信号線Ｇ０は、イオン性不純物吸着用配線の下側（図２１参照）に設けられる。
【０１２１】
これらの構成によれば、走査信号線のオフ電位信号もＤＣ信号であった場合には、ダミー走査信号線をこのイオン性不純物吸着用配線に交差させることにより、新たな信号線や電源を追加することなく上述の効果を得ることができる。
【０１２２】
また、ダミー走査信号線Ｇ０と交差する信号線は、上述した検査信号用配線やイオン性不純物吸着用配線以外にも、例えば、ゲートドライバに電源を供給する配線のうちＤＣ信号を供給する配線であってもよい。図２２は、このような信号線と、ダミー走査信号線Ｇ０とが交差する構成を示す液晶表示装置の一例を示す平面図である。
【０１２３】
なお、本発明は、上記実施の形態１および２で示した構成を組み合わせた構成においても適用することができる。すなわち、ダミー走査信号線Ｇ０は、各走査信号線Ｇ１，Ｇ２，…，Ｇｎと交差しつつ、検査信号用配線（あるいは、イオン性不純物吸着用配線）とも交差して、それぞれの交差部（重畳部）で容量を形成する構成としてもよい。
【０１２４】
以上のように、本実施の形態２の液晶表示装置では、走査信号線のオフ電位信号がＤＣ信号であって共通電極に供給される信号がＡＣ信号である場合に、ダミー走査信号線が走査信号線のオフ電位信号と同じ信号（ＤＣ信号）が入力される信号線と交差する構成が好ましい。また、走査信号線のオフ電位信号がＤＣ信号であって共通電極に供給される信号がＤＣ信号である場合に、ダミー走査信号線が走査信号線のオフ電位信号と同じ信号（ＤＣ信号）が入力される信号線と交差する構成が好ましい。
【０１２５】
ここで、本発明の液晶表示装置では、上記実施の形態１および２に示す構成には限定されず、例えば、実施の形態１の液晶表示装置において、走査信号線のオフ電位信号がＡＣ信号であって共通電極に供給される信号がＡＣ信号またはＤＣ信号である場合に、ダミー走査信号線が他の走査信号線と交差する構成としてもよい。また、実施の形態２の液晶表示装置において、走査信号線のオフ電位信号がＡＣ信号であって共通電極に供給される信号がＡＣ信号またはＤＣ信号である場合に、ダミー走査信号線が走査信号線のオフ電位信号と同じ信号（ＤＣ信号）が入力される信号線と交差する構成としてもよい。さらに、実施の形態１および２の液晶表示装置において、走査信号線のオフ電位信号がＡＣ信号であって共通電極に供給される信号がＡＣ信号またはＤＣ信号である場合に、ダミー走査信号線が、走査信号線のオフ電位信号とは異なる振幅だが、同じ周期で変動する信号（ＡＣ信号）が入力される信号線と交差する構成としてもよい。
【０１２６】
ダミー走査信号線が、共通電極や走査信号線のオフ電位信号と同じ振幅である場合、この振幅Ｖｇｏｐｐは次式で表される。
【０１２７】
【数９】
2009237282.tif 000011
【０１２８】
上式（９）中、Ｖｘｐｐは、ダミー走査信号線と重なることにより容量Ｃｇｏ−ｘが形成されるための信号線の振幅を表している。なお、ダミー走査信号線に入力されない従来の構成の場合には、上記振幅は次式で表される。
【０１２９】
【数１０】
2009237282.tif 000012
【０１３０】
ここで、例えば、走査信号線のオフ電位がＤＣ信号の場合（式（１）〜式（８）の場合）には、式（９）において、電位変動（印加電圧差）およびフリッカを低減するためには、ＶｇｏｐｐをＤＣに近づけることが好ましい。そこで例えば、式（９）の第２項の値を小さくすることが考えられる。ところが、第２項に含まれる（Ｖｓｈ−Ｖｓｌ）は、階調によってその値が異なるため、第１項や第３項の値を調整して、第２項を相殺することは、特定の階調でしか成立しないため好ましくない。よって、第２項を小さくするためには、Ｃｇｏ−ｘを十分大きくすることが好ましい。Ｃｇｏ−ｘを大きくすることにより、第３項のＶｘｐｐの係数が「１」に近づく。この場合、Ｖｘｐｐが他の走査信号線と同じＤＣであれば、式（９）のＶｇｏｐｐは、式（１０）に比べて、ＤＣに近づくことになる。なお、ＶｘｐｐはＤＣでさえあればよく、その電位は限定されるものではない。
【０１３１】
これに対して、走査信号線のオフ電位信号が振幅５ＶのＡＣ信号の場合には、式（９）において、Ｖｇｏｐｐをできるだけ、５Ｖに近づけると、電位変動（印加電圧差）およびフリッカを低減することができ、同様にＣｇｏ−ｘを大きくして、式（９）のＶｘｐｐを５Ｖにすることにより、Ｖｇｏｐｐは従来の構成（式（１０）のＶｇｏｐｐ）に比べて、５Ｖに近づくことになる。
【０１３２】
ここで、Ｖｘｐｐは必ずしもＤＣ信号や５Ｖである必要はなく、式（９）のＶｇｏｐｐが式（１０）のＶｇｏｐｐよりも、走査信号線の振幅に近づきさえすればよいため、多少の振幅の差は許容される。
【０１３３】
以上のように、本発明のダミー走査信号線Ｇ０は、走査信号線Ｇｎに入力されるスイッチング素子のオフ電位信号の電位変動と同じ周期で電位変動する信号が入力される信号線（検査信号用配線、イオン性不純物吸着用配線等）の少なくとも一部に絶縁膜を介して重畳して設けられ、重畳部において容量が形成されている。また、ダミー走査信号線Ｇ０は、少なくとも１つの走査信号線の少なくとも一部に重畳して設けられ、重畳部において容量が形成されている。つまり、ダミー走査信号線Ｇ０との間で容量を形成する信号線は、走査信号線Ｇｎに入力されるオフ電位信号の交流成分と、上記信号線に入力される信号の交流成分とが同一であって、互いの直流成分が同一又は異なる信号線である。よって、ダミー走査信号線Ｇ０と容量を形成する上記信号線は、ＤＣ信号およびＡＣ信号の何れの信号が入力される信号線であってもよい。そして、本発明の液晶表示装置は、共通電極信号（Ｖｃｏｍ）がＡＣ信号である液晶表示装置においても、表示品位の劣化を抑えることができるという従来と比較して有利な効果を奏するものである。
【０１３４】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１３５】
本発明は、共通電極信号がＡＣ信号の場合にも、各行の表示状態を均等化することができるため、特に、狭額縁の表示装置において好適に適用できる。
【図面の簡単な説明】
【０１３６】
【図１】本実施の形態１に係る液晶表示装置の全体構成を示すブロック図である。
【図２】図１に示す液晶表示装置の画素の電気的構成を示す等価回路図である。
【図３】図１に示す液晶表示装置における第１行目から第３行目までの一部の画素の電気的構成を示す等価回路図である。
【図４】図１に示す液晶表示装置における画素ＰＩＸに関わる各種信号の波形を示すタイミングチャートであり、（ａ）は、第３行目の画素ＰＩＸに関わる各種信号の波形を示すタイミングチャートであり、（ｂ）は、第１行目の画素ＰＩＸに関わる各種信号の波形を示すタイミングチャートである。
【図５】図１に示す液晶表示装置におけるダミー走査信号線Ｇ０と走査信号線との交差部を拡大した図である。
【図６】図１に示す液晶表示装置において、画素電極が横長形状の場合の構成を示す図である。
【図７】図１に示す液晶表示装置の他の構成例を示す図であり、走査信号線の信号入力方向が、行ごとに異なる場合の液晶表示装置の構成を示す平面図である。
【図８】図１に示す液晶表示装置の他の構成例を示す図であり、液晶表示パネルの片側から走査信号線へゲート信号が入力される場合の液晶表示装置の構成を示す平面図である。
【図９】図１に示す液晶表示装置の他の構成例を示す図であり、ゲート信号の入力側とは反対側である走査信号線の終端側にダミー走査信号線が設けられている場合の液晶表示装置の構成を示す平面図である。
【図１０】図１に示す液晶表示装置の他の構成例を示す図であり、ゲート信号の入力側、および、その反対側である走査信号線の終端側の両方にダミー走査信号線が設けられている場合の液晶表示装置の構成を示す平面図である。
【図１１】図１に示す液晶表示装置の他の構成例を示す図であり、走査信号線の信号入力方向がパネルの両側からブロックごとに入力される構成の液晶表示装置を示す平面図である。
【図１２】図１１に示す液晶表示装置において、ゲート信号の入力側、およびその反対側である走査信号線の終端側の両方にダミー走査信号線を設けた場合の構成を示す平面図である。
【図１３】図１に示す液晶表示装置の他の構成例を示す図であり、ゲートドライバが液晶表示パネルの両側に配置される構成の液晶表示装置を示す平面図である。
【図１４】図１に示す液晶表示装置の他の構成例を示す図であり、ダミー走査信号線が、対向基板に配置された共通電極が存在しない領域で、走査信号線と交差する構成の液晶表示装置を示す平面図である。
【図１５】本実施の形態２に係る液晶表示装置の全体構成を示すブロック図である。
【図１６】図１５に示す液晶表示装置の他の構成例を示す図であり、検査信号用配線を備えた狭額縁の液晶表示装置の構成を示す平面図である。
【図１７】図１５に示す液晶表示装置の他の構成例を示す図であり、ダミー走査信号線が、検査信号用配線と平行に配置されている状態を示す図である。
【図１８】図１５に示す液晶表示装置の他の構成例を示す図であり、ダミー走査信号線が、イオン性不純物吸着用配線に交差して設けられている状態を示す図である。
【図１９】図１５に示す液晶表示装置の他の構成例を示す図であり、ダミー走査信号線が、イオン性不純物吸着用配線と平行に配置されている状態を示す図である。
【図２０】図１９に示す液晶表示装置の一部分を拡大した図である。
【図２１】図２０におけるＡ−Ａ′断面図である。
【図２２】図１５に示す液晶表示装置の他の構成例を示す図であり、他の信号線とダミー走査信号線Ｇ０とが交差する構成を示す液晶表示装置の一例を示す平面図である。
【図２３】従来のＴＦＴアクティブマトリクス方式の液晶表示装置の構成を示す。
【図２４】図２３に示す液晶表示装置に寄生容量が生じることを説明する画素の平面図である。
【図２５】図２３に示す液晶表示装置に生じた寄生容量による画素電極電位の変動を説明する電圧波形図である。
【図２６】特許文献１に係る液晶表示装置の構成を示す回路図である。
【図２７】図２６に示す液晶表示装置のダミー走査信号線及び走査信号線に入力される各信号のタイミングチャートである。
【図２８】図２６に示す液晶表示装置において、ダミー走査信号線に信号入力しない状態で配置した場合の構成を示す回路図である。
【図２９】図２８に示す液晶表示装置における画素ＰＩＸに関わる各種信号の波形を示すタイミングチャートであり、（ａ）は、第３行目の画素ＰＩＸに関わる各種信号の波形を示すタイミングチャートであり、（ｂ）は、第１行目の画素ＰＩＸに関わる各種信号の波形を示すタイミングチャートである。
【符号の説明】
【０１３７】
１      液晶表示装置（表示装置）
１０    液晶表示パネル（表示パネル）
１１    ＴＦＴ（スイッチング素子）
１１′  ＴＦＴ（検査用スイッチング素子）
１２    画素電極
１３    共通電極
１４    補助容量
１５    ＣＳライン
１６    液晶容量
１８    寄生容量（Ｃｇｄ１）
１９    寄生容量（Ｃｇｄ２）
２０    データドライバ（データ信号線駆動回路）
３０    ゲートドライバ（走査信号線駆動回路）
Ｓｎ    データ信号線
Ｇｎ    走査信号線
Ｇ０    ダミー走査信号線
【図１】
2009237282.tif 000013
【図２】
2009237282.tif 000014
【図３】
2009237282.tif 000015
【図４】
2009237282.tif 000016
【図５】
2009237282.tif 000017
【図６】
2009237282.tif 000018
【図７】
2009237282.tif 000019
【図８】
2009237282.tif 000020
【図９】
2009237282.tif 000021
【図１０】
2009237282.tif 000022
【図１１】
2009237282.tif 000023
【図１２】
2009237282.tif 000024
【図１３】
2009237282.tif 000025
【図１４】
2009237282.tif 000026
【図１５】
2009237282.tif 000027
【図１６】
2009237282.tif 000028
【図１７】
2009237282.tif 000029
【図１８】
2009237282.tif 000030
【図１９】
2009237282.tif 000031
【図２０】
2009237282.tif 000032
【図２１】
2009237282.tif 000033
【図２２】
2009237282.tif 000034
【図２３】
2009237282.tif 000035
【図２４】
2009237282.tif 000036
【図２５】
2009237282.tif 000037
【図２６】
2009237282.tif 000038
【図２７】
2009237282.tif 000039
【図２８】
2009237282.tif 000040
【図２９】
2009237282.tif 000041